(57)【要約】      （修正有）【課題】光学素子を設置するためのハウジングを変えることなく、高解像度または装置の高速化に対応でき、安価にどちらへも変更可能で、トナー等の塵芥からの汚染を発生させない光走査装置及びこれを備えた画像形成装置を提供する。【解決手段】光源から出射された光束をカップリングする第１の光学系と、前記光源と第１の光学系固定するホルダと、前記第１の光学系でカップリングされた光束を主走査方向に長い線状に集光する第２の光学系と、この第２の光学系で集光された光束を偏向する光偏向器と、この偏向器によって偏向した光束を被走査面上に光スポットとして集光する第３の光学系と、前記ホルダ及び前記光学系を収容する光学ハウジングを備えた光走査装置において、前記光学ハウジングが前記ホルダを挿入するための４個以上の穴を開口し、これらの穴の２個のみに前記ホルダ’が挿入され、それ以外の穴が板金または樹脂部材で密封されている。【選択図】        図５
2006126669.tif 000002
【特許請求の範囲】
【請求項１】
光源から出射された光束をカップリングする第１の光学系と、前記光源と前記第１の光学系を固定するホルダと、前記第１の光学系でカップリングされた光束を主走査方向に長い線状に集光する第２の光学系と、この第２の光学系で集光された光束を偏向する光偏向器と、この偏向器によって偏向した光束を被走査面上に光スポットとして集光する第３の光学系と、前記ホルダ及び前記光学系を収容する光学ハウジングを備えた光走査装置において、前記光学ハウジングが前記ホルダを挿入するための４個以上の穴を備え、これらの穴のうちの２個のみに前記ホルダが挿入され、それ以外の穴が板金または樹脂部材で密封されていることを特徴とする光走査装置。
【請求項２】
前記穴が、前記偏向器の中心を通り被走査面と平行な線に対して略対称に配置されていることを特徴とする請求項１記載の光走査装置。
【請求項３】
前記穴が、被走査面に立てた垂線と６０°、あるいは６０°±１０°の範囲に存在することを特徴とする請求項１または２記載の光走査装置。
【請求項４】
前記ホルダが２個の光源及び２個の第１光学系を有することを特徴とする請求項１乃至３のいずれか一項に記載の光走査装置。
【請求項５】
前記偏向器の反射面が軸線方向に上下２段に分割されているか、反射点に応じた高さを有することを特徴とする請求項１乃至４のいずれか一項に記載の光走査装置。
【請求項６】
請求項１乃至５のいずれか一項に記載の光走査装置を備えることを特徴とする画像形成装置。
【発明の詳細な説明】
【技術分野】
【０００１】
本発明は、複数のビームにより感光体上に各々静電潜像を形成し、それらの静電潜像の重ね合わせにより多色のカラー画像を得るデジタル複写機、ファクシミリ、レーザプリンタ等の光書き込み系に用いられる光走査装置及びこれを備えた画像形成装置に関するものである。
【背景技術】
【０００２】
近年、複数の光源から出射されるレーザビームを走査ビームとして出射する光学手段を１つのハウジングに一体的に形成し、前記ハウジングより出射される各走査ビームを各々の走査ビームに対応して設けられた複数の感光体に各々結像させて複数色の画像を形成し、各感光体上の記録紙に重ね転写して多色画像を得る多色画像形成装置が知られている（例えば、特許文献１及び２参照）。
例えば、４つの感光体ドラムを記録紙の搬送方向に沿って配列し、これらの各感光体ドラムに対応した走査ビームで同時に露光して潜像を作り、これらの可視像を同一の記録紙に順次重ね合わせて転写し、カラー画像を得るデジタル複写機やレーザプリンタなどが実用化されている。
このような画像出力機にて光走査するさい、複数の走査手段が用いられるが、その走査手段を配置するために大きなスペ−スが必要となり、装置全体が大型化することから、特許文献１に開示されるように、複数の光ビームを単一の偏向器に入射させて走査し、結像レンズを積み重ねて配置する方式等が提案されている。
また、特許文献２では、円形の開口部にレーザダイオード及びシリンドリカルレンズを一体的に組み合わせた構成物が装着され、２個の構成物によりカラー４色のレーザ光が感光体ドラムに照射できるような方法が提案されている。
【特許文献１】特開平１０−２５４２１２号公報
【特許文献２】特開２００３−２４８１８６公報
【発明の開示】
【発明が解決しようとする課題】
【０００３】
しかしながら、特許文献１では、高解像度を得ることは可能であるが、ビームスプリッタなどの大型でかつ高価な部品を使用するため光走査装置としても大型化して値段も高くなってしまう。それを回避するためにビームスプリッタを使用せず、感光体ドラム上でビームを所望する解像度のピッチになるように調整する方法が研究され、実用化されている。
ただし、解像度を落としても第１の光学系を固定するホルダの数は同じになり、コストダウンの幅としては小さいものとなってしまう。また、前記ホルダの数を減らそうとすると新規の光学ハウジングが必要となり、新たなコストが発生する。
また、特許文献２では、レーザダイオード及びシリンドリカルレンズを一体的に組み合わせた構成物のためホルダ自体がかなり大型化してしまうことで組み立てが難しくなり、２個の構成物を挿入するための開口部が４個あり、そこからトナー等の塵芥が侵入してしまうことが考えられる。また、シリンドリカルレンズをポリゴンスキャナから遠ざけ固定することで、レーザ光のビームを小さくすることが難しい。
そこで、本発明の目的は、上述した実情を考慮して、光学素子を設置するためのハウジングを変えることなく、高解像度または装置の高速化に対応でき、安価にどちらへも変更可能で、トナー等の塵芥からの汚染を発生させないようにする光走査装置及びこれを備えた画像形成装置を提供することにある。
【課題を解決するための手段】
【０００４】
上記の課題を解決するために、請求項１に記載の発明は、光源から出射された光束をカップリングする第１の光学系と、前記光源と第１の光学系を固定するホルダと、前記第１の光学系でカップリングされた光束を主走査方向に長い線状に集光する第２の光学系と、この第２の光学系で集光された光束を偏向する光偏向器と、この偏向器によって偏向した光束を被走査面上に光スポットとして集光する第３の光学系と、前記ホルダ及び前記光学系を収容する光学ハウジングを備えた光走査装置において、前記光学ハウジングが前記ホルダを挿入するための４個以上の穴を開口し、これらの穴の２個のみに前記ホルダが挿入され、それ以外の穴が板金または樹脂部材で密封されている光走査装置を特徴とする。
また、請求項２に記載の発明は、前記穴が、前記偏向器の中心を通り被走査面と平行な線に対して略対称に配置されている請求項１記載の光走査装置を特徴とする。
また、請求項３に記載の発明は、前記穴が、被走査面に立てた垂線と６０°、あるいは６０°±１０°の範囲に存在する請求項１または２記載の光走査装置を特徴とする。
また、請求項４に記載の発明は、前記ホルダが２個の光源及び２個の第１光学系を有する請求項１乃至３のいずれか一項に記載の光走査装置を特徴とする。
また、請求項５に記載の発明は、前記偏向器の反射面が軸線方向に上下２段に分割されているか、反射点に応じた高さを有する請求項１乃至４のいずれか一項に記載の光走査装置を特徴とする。
また、請求項６に記載の発明は、請求項１乃至５のいずれか一項に記載の光走査装置を備える画像形成装置を特徴とする。
【発明の効果】
【０００５】
本発明によれば、構成が簡単であり、かつ大きな部品も使わないことで、４個以上の穴にホルダを４個以上装着することも可能なので、レーザ光の数が増やせることで、より高解像度または装置の高速化（プリント速度）に対応することが可能で、しかもハウジングの変更を伴わないので安価に変更可能である。
【発明を実施するための最良の形態】
【０００６】
以下、図面を参照して、本発明の実施の形態を詳細に説明する。図１は画像形成装置の全体的な要部構成を説明する正面図である。ここでは一般的なタンデム型の画像形成装置について説明する。
転写紙を保持する保持機能を有するエンドレスなベルト７０は、水平方向に対向して配置された２つの支持部材としてのローラ７１、７２間に展張されている。ベルト７０の上側ベルトに沿って矢印で示す回転方向順に、下流側から、ＢＫ（ブラック）、Ｙ（イエロー）、Ｃ（シアン）、Ｍ（マジェンタ）の各トナー像を担持する感光体（感光体ドラム）１ＢＫ、１Ｙ、１Ｃ、１Ｍがベルト７０に接するように並んでいる。
これらの感光体ドラム１ＢＫ、１Ｙ、１Ｃ、１Ｍのまわりには、各回転方向順に、帯電ローラ７２ＢＫ、７２Ｙ、７２Ｃ、７２Ｍ、現像装置７３ＢＫ、７３Ｙ、７３Ｃ、７３Ｍ、クリーニング手段７４ＢＫ、７４Ｙ、７４Ｃ、７４Ｍなどが配置されている。各現像装置７３ＢＫ、７３Ｙ、７３Ｃ、７３Ｍに設けられた現像ローラ７５はそれぞれに対応する感光体に近接して配置されている。
これらの各感光体ドラムのまわりに配置された帯電装置、現像装置、クリーニング手段などにより画像形成手段が構成されている。つまり、ＢＫ、Ｙ、Ｍ、Ｃの各色による画像形成のための手段として、画像形成手段７６ＢＫ、７６Ｙ、７６Ｃ、７６Ｍがベルト７０に対向して配置されている。
これらの画像形成手段７６ＢＫ、７６Ｙ、７６Ｃ、７６Ｍにおける感光体ドラム１ＢＫ、１Ｙ、１Ｃ、１Ｍに対向してベルト７０を介して転写装置７７ＢＫ、７７Ｙ、７７Ｃ、７７Ｍが配置されている。
また、各感光体ドラム１ＢＫ、１Ｙ、１Ｃ、１Ｍの上方には光書き込み手段１０が配置されていて、カラー画像信号に応じて変調されたレーザ光Ｌｂが出射され、各感光体ドラム１ＢＫ、１Ｙ、１Ｃ、１Ｍにおける帯電ローラと現像装置との間の露光部に照射されるようになっている。
ここで、各感光体ドラム１ＢＫ、１Ｙ、１Ｃ、１Ｍの順番はこの通りでなくても問題ない。また各感光体ドラム１ＢＫ、１Ｙ、１Ｃ、１Ｍまわりの帯電装置、現像装置、クリーニング手段などについても同様である。また光書き込み手段１０が各感光体ドラム１ＢＫ、１Ｙ、１Ｃ、１Ｍの下方に配置されていても問題ない。
【０００７】
ベルト７０は矢印で示すように反時計回りの向きに回転駆動されるようになっている。ベルト７０の上側ベルトの上流側のさらに上流側の位置には１対のレジストローラ７８が設けられている。このレジストローラ７８に向けて、転写紙Ｐが給紙コロ７９から送り出されるようになっている。
ベルト７０の上側ベルトの下流側のさらに下流の位置には、定着装置８５が配置されている。ベルト７０の上側ベルトの上流端部において、このベルト７０を支持しているローラ７２の上方には、このベルト７０に転写紙Ｐが静電吸着するように転写紙吸着手段としてのコロナ放電ワイヤを使用した帯電器８０が設けられている。
ベルト７０の上側ベルトの下流端であって、ローラ７１と対向する部位には転写紙Ｐを除電してベルト７０から容易に離脱させるべく除電手段８１が設けられている。
ベルト７０の下側ベルトには、ベルト７０の除電を行うコロナ放電ワイヤを使用した除電手段８２が設けられ、さらに、ローラ７２にはベルト７０を介してローラ７２に接離可能なククリーニングブレ−ド８３が設けられている。
ベルト７０のまわりに設けられたこれら画像形成手段７６ＢＫ、７６Ｙ、７６Ｃ、７６Ｍ、光書き込み手段１０、転写装置７７ＢＫ、７７Ｙ、７７Ｃ、７７Ｍ、帯電器８０、クリーニングブレ−ド８３、除電手段８１、８２などは画像形成のためのプロセス手段である。
この画像形成装置において、画像形成は各感光体ドラム１ＢＫ、１Ｙ、１Ｃ、１Ｍが回転を始めると、回転中にこれら感光体は帯電ローラ７２ＢＫ、７２Ｙ、７２Ｃ、７２Ｍにより均一に帯電される。
同一の転写紙Ｐ上に重ね転写されるように書き込みタイミングをずらしてレーザ光Ｌｂが感光体ドラムの露光部に照射、走査されて作成すべき画像に対応した潜像が形成され、それぞれ現像装置７３ＢＫ、７３Ｙ、７３Ｃ、７３Ｍによりトナー像が形成される。
一方、給紙部に収納された転写紙Ｐが給紙コロ７９により送り出され、破線で示す搬送経路を経て１対のレジストローラ７８の位置でいったん停止し、感光体ドラム１ＢＫ、１Ｙ、１Ｃ、１Ｍ上のトナー像と転写部で合致するように送り出しのタイミングを待ち、時期が到来するとレジストローラ７８に停止されていた転写紙Ｐはレジストローラ７８から送り出され、帯電器８０によってベルト７０に吸着されて搬送される。
【０００８】
各感光体ドラム１ＢＫ、１Ｙ、１Ｃ、１Ｍのそれぞれのトナー像が、各感光体ドラムとの当接位置である上記転写部において転写紙Ｐ上に順次転写され、色が重ね合わされフルカラートナー画像が形成される。
各感光体ドラム１ＢＫ、１Ｙ、１Ｃ、１Ｍとベルト７０とが接している部位は転写部を構成し、これらの転写部には各転写装置７７ＢＫ、７７Ｙ、７７Ｃ、７７Ｍが位置している。
フルカラートナー画像が転写された転写紙Ｐは除電手段８１で除電されてからベルト７０より分離され、そのまま定着装置８５に搬送され、定着されて排紙トレイ８４に排出される。
一方、感光体ドラム１ＢＫ、１Ｙ、１Ｃ、１Ｍ上に残った残留トナーはこれらの感光体ドラム１ＢＫ、１Ｙ、１Ｃ、１Ｍの回転とともにクリーニング手段７４ＢＫ、７４Ｙ、７４Ｃ、７４Ｍに至り、これらのクリーニング手段を通過する間に清掃されて次の画像形成に備えられる。
また、転写紙Ｐを分離した後のベルト７０についても、除電手段８２で除電されてからクリーニング手段７４ＢＫ、７４Ｙ、７４Ｃ、７４Ｍのクリーニングブレード８３に至り、クリーニングされて次の転写紙の搬送に備えられる。
クリーニングブレード８３によりベルト７０上をクリーニングするのは、感光体ドラム１ＢＫ、１Ｙ、１Ｃ、１Ｍからトナー像の一部がベルト７０上に転写されることがあるからである。
また転写紙の紙紛が付着し、これらの転写トナーや紙紛などが次の転写紙の裏汚れとなるのを防止するためである。そして、ベルト７０の繋ぎ目がクリーニングブレード８３に到達する直前にクリーニングブレード８３を離間し、通り過ぎ次第再度当接させる。
図２は光走査装置の光路を説明する概略図である。光走査装置１０’は平らな箱型形状をした密閉状の光学ハウジング２０内に収められている。光学ハウジング２０の略中央位置にはポリゴンスキャナ３が設けられている。
光走査装置１０’に対向するようにして、画像形成装置の一部である感光体ドラムが４個並列に配置されている。ここではＢＫ（ブラック）、Ｙ（イエロー）、Ｃ（シアン）、Ｍ（マジェンタ）の各トナー像を担持する感光体ドラム１ＢＫ、１Ｙ、１Ｃ、１Ｍとしておく。
これら４つの感光体ドラム１ＢＫ、１Ｙ、１Ｃ、１Ｍに対してレーザ光を照射、走査するために、光学ハウジング２０内には、ポリゴンスキャナ３のまわりに多数の光学素子が配置されている。ポリゴンスキャナ３を挟んで、左側の光学素子のグループは感光体ドラム１ＢＫと感光体ドラム１Ｙとを照射するための光学素子群である。
【０００９】
右側の光学素子のグループは、感光体ドラム１Ｃと感光体ドラム１Ｍとを照射するための光学素子群である。左側の光学素子のグループは、感光体ドラム１ＢＫに対してレーザ光を導くための光学素子群と、感光体ドラム１Ｙに対してレーザ光を導くための光学素子群とからなる。
感光体ドラム１ＢＫに対してレーザ光を導くための光学素子群は、ｆθレンズ４−ＢＫ、第１ミラー５−１ＢＫ、トロイダルレンズ６−ＢＫ、第２ミラー５−２ＢＫ、第３ミラー５−３ＢＫ等であり、この順に進行して防塵ガラス７−ＢＫを経て感光体ドラム１ＢＫに達する。
感光体ドラム１Ｙに対してレーザ光を導くための光学素子群は、ｆθレンズ４−Ｙ、第１ミラー５−１Ｙ、トロイダルレンズ６−Ｙ、第２ミラー５−２Ｙ、第３ミラー５−３Ｙ等であり、この順に進行して防塵ガラス７−ＢＫを経て感光体ドラム１Ｙに達する。
感光体ドラム１ＢＫ、１Ｙ、ｆθレンズ４−ＢＫ、４−Ｙ、第１ミラー５−１ＢＫ、第２ミラー５−２ＢＫ、第１ミラー５−１Ｙ、第１ミラー５−２Ｙ等及び防塵ガラス７−ＢＫ、７−Ｙは紙面の奥行き方向に長い長尺のミラーからなる。ｆθレンズ４−ＢＫとｆθレンズ４−Ｙは一体的に構成されているので、ｆθレンズ４として扱う。
各感光体ドラムに対する書き込み開始タイミングを定めるために走査開始端側には、検知センサ９−１が配置されている。この検知センサ９−１は感光体ドラム１ＢＫ、１Ｙの夫々に向かうレーザ光Ｌｂをともに検知するものとして共用されており、第２ミラー５−２ＢＫの一端側で反射された光ビームＬｂをミラー５−２’ＢＫ、ミラー８−１ＢＫの順に反射させて検知センサ９−１へ導いている。
同様に、第２ミラー５−２Ｙの一端側で反射された光ビームＬｂをミラー８−１Ｙの順に反射させて検知センサ９−１へ導いている。これらのミラー５−２’ＢＫ、８−１ＢＫ、８−１Ｙ等は検知センサ９−１へレーザ光Ｌｂを導くためのミラーであり、小型のミラーが使用されている。
【００１０】
右側の光学素子のグループは、左側の光学素子グループと対称に構成されていて、感光体ドラム１Ｍに対してレーザ光を導くための光学素子群と、感光体ドラム１Ｃに対してレーザ光を導くための光学素子群とからなる。
感光体ドラム１Ｍに対してレーザ光を導くための光学素子群は、ｆθレンズ４−Ｍ、第１ミラー５−１Ｍ、トロイダルレンズ６−Ｍ、第２ミラー５−２Ｍ、第３ミラー５−３Ｍ等であり、この順に進行して防塵ガラス７−Ｍを経て感光体ドラム１Ｍに達する。
感光体ドラム１Ｃに対してレーザ光を導くための光学素子群は、ｆθレンズ４−Ｃ、第１ミラー５−１Ｃ、トロイダルレンズ６−Ｃ、第２ミラー５−２Ｃ、第３ミラー５−３Ｃ等であり、この順に進行して防塵ガラス７−Ｃを経て感光体ドラム１Ｃに達する。
感光体ドラム１Ｍ、１Ｃ、ｆθレンズ４−Ｍ、４−Ｃ、第１ミラー５−１Ｍ、第２ミラー５−２Ｍ、第１ミラー５−１Ｃ、第２ミラー５−２Ｃ等及び防塵ガラス７−Ｍ、７−Ｃは、紙面の奥行き方向に長い長尺のミラーからなる。ｆθレンズ４−Ｍとｆθレンズ４−Ｃは一体的に構成されているので、ｆθレンズ４’として扱う。
感光体ドラムに対する書き込み開始タイミングを定めるために走査開始端側には、検知センサ９−２が配置されている。この検知センサ９−２は感光体ドラム１Ｍ、１Ｃの夫々に向かうレーザ光Ｌｂを共に検知するものとして共用されており、第２ミラー５−２Ｍの一端側で反射された光ビームＬｂをミラー５−２’Ｍ、８−１Ｍの順に反射させて検知センサ９−２へ導いている。
同様に、第２ミラー５−２Ｃの一端側で反射された光ビームＬｂをミラー８−１Ｍの順に反射させて検知センサ９−２へ導いている。これらのミラー５−２’Ｍ、８−１Ｍ、８−１Ｃ等は検知センサ９−２へレーザ光Ｌｂを導くためのミラーであり、小型のミラーが使用されている。
【００１１】
図３は上述した光学素子をイエロー（Ｙ）側の光走査手段とともに立体的に示す斜視図である。図４は全体の光学素子を立体的に示す斜視図である。図３及び図４において、左側の光学素子グループに導くためにポリゴンスキャナ３へレーザ光を出射するレーザ光源３０−Ｙ、３０−ＢＫ及びコリメートレンズ１１−Ｙ、１１−ＢＫ、及びシリンドリカルレンズ４０−Ｙ、４０−ＢＫが示されている。
また、右側の光学素子グループに導くためにポリゴンスキャナ３へレーザ光を出射するレーザ光源３０−Ｃ、３０−Ｍ、及びシリンドリカルレンズ４０−Ｃ、４０−Ｍが示されている。図３及び図４において図１及び図２と同一部材には同一符号を付して重複する説明は省略している。
図５は本発明による光学ハウジングを示す斜視図である。図６は本発明によるＬＤホルダとポリゴンスキャナの関係を示す平面図である。図７は図６の正面図である。図８はＬＤホルダを４個にしたときのＬＤホルダとポリゴンスキャナの関係を示す平面図である。図９は図８の正面図である。
光走査装置について本発明の実施の形態を示した図５乃至図９において、光学ハウジング２０についてはシリンドリカルレンズ４０−Ｙ、４０−ＢＫ、４０−Ｃ、４０−Ｍを設置する形状が、シリンドリカルレンズ４０’−Ｙ、４０’−ＢＫ、４０’−Ｃ、４０’−Ｍの設置と異なることを除いて、従来例と同じ形態である。
図１及び図５乃至図９において、ホルダ１００、１００’は光学ハウジング２０に設けられた４個の穴４１ａ、４１ｂ、４１ｃ、４１ｄのうち２個の穴４１ａ、４１ｄに挿入されてこれらを閉止する。その他の穴４１ｂ、４１ｃは、板金または樹脂部材で作られたカバー部材１０１、１０１’で閉止され、外部から塵芥が侵入しない構造になっている。
ホルダ１００、１００’をどの穴に挿入するかは任意であるが、ポリゴンスキャナ３を挟んで略対称に設置することが望ましい。穴に固定されたホルダ１００、１００’は、その内側面にて２個のコリメートレンズ１１と、２個のレーザダイオード３０を固定支持している。
【００１２】
図６及び図７で示すようにそれぞれのコリメートレンズ１１とレーザダイオード３０は、図５に記載するＺ方向、Ｘ−Ｙ平面上に一定の距離をもって固定されている。ここで、それぞれの光軸（ＹとＢＫ、ＣとＭ）の交点はほぼポリゴンスキャナ３上で一致させるように設定しておき、走査線の垂線とそれぞれの光軸の中央を通る線が６０°±１０°になるようにしておく。
こうすることで図８及び図９における３０−Ｙまたは３０−ＢＫの位置に図６のホルダ１００を、また図８における３０−Ｃまたは３０−Ｍの位置に図６のホルダ１００’を乗せ代えてもレーザ光を感光体ドラムに到達させることが可能で、設計も容易になる。
ここでシリンドリカルレンズ４０−Ｙ、４０−ＢＫ、４０−Ｃ、４０−Ｍの光学ハウジング２０の固定方法であるが、予め図６における２個のコリメートレンズ１１と２個のレーザダイオード３０が固定できるように設計しておく。
ポリゴンスキャナ３は図３及び図４に示すように上下に２分割３ｕ、３ｄにして左右から上下段にレーザ光をミラー面に当てるか、分割せずに前記Ｚ軸方向に長い形状にしておく。長いままだと光軸の位置が少々変化してもそのままでポリゴンスキャナ３を変えずに使用できるし、分割しておけばポリゴンスキャナ３の回転負荷が減らせて光学特性がより安定することができるというそれぞれのメリットがある。
【００１３】
本発明によれば、ポリゴンスキャナ３を挟み、対向して光学素子を配置できるので、省スペースで設計できるとともに、光学特性が略左右対称になるので光学的、物理的確認等が半分になり作業が効率的である。
本発明によれば、ホルダ１００、１００’を挿入するための穴４１ａ、４１ｂ、４１ｃ、４１ｄは、被走査面に立てた垂線と６０°、あるいは６０°±１０°の範囲に存在するので、２個から４個のホルダを搭載できるので、解像度を上げるか、プリント速度を上げようとしてレーザダイオードの数を増やすことも容易である。
本発明によれば、ホルダ１００、１００’は２個の光源３０及び２個の第１光学系１１を有するのでコンパクトに製作することができ、シリンドリカルレンズ４０をホルダ１００、１００’に搭載しないことでレーザ光のビームも小さく調整でき、４色のカラーのうち２色の光書き込みが実現できる。
本発明によれば、偏向器の反射面は軸線方向に上下２段３ｕ、３ｄに分割されているか、反射点に応じた高さを有するので、ホルダの数が変化しても同じポリゴンスキャナ３が使用できるので変更が容易である。
本発明によれば、画像形成装置は上述した光書き込み装置を有することによって、より高解像度または装置の高速化に対応することが可能で、しかもハウジングの変更を伴わないので安価に変更可能である。
【図面の簡単な説明】
【００１４】
【図１】画像形成装置の全体的な要部構成を説明する正面図。
【図２】光走査装置の光路を説明する概略図。
【図３】上述した光学素子をイエロー（Ｙ）側の光走査手段とともに立体的に示す斜視図。
【図４】全体の光学素子を立体的に示す斜視図。
【図５】本発明による光学ハウジングを示す斜視図。
【図６】本発明によるＬＤホルダとポリゴンスキャナの関係を示す平面図。
【図７】図６の正面図。
【図８】ＬＤホルダを４個にしたときのＬＤホルダとポリゴンスキャナの関係を示す平面図。
【図９】図８の正面図。
【符号の説明】
【００１５】
１Ｙ  感光体（感光体ドラム）、３  光偏向器（ポリゴンスキャナ）、４  第２の光学系（ｆθレンズ）、５−１Ｙ  第２の光学系（第１ミラー）、５−２Ｙ  第２の光学系（第２ミラー）、６−Ｙ  第２の光学系（トロイダルレンズ）、５−３Ｙ  第３の光学系（第３ミラー）、７−Ｙ  第３の光学系（防塵ガラス）、８−１Ｙ  第３の光学系（ミラー）、１０  光書き込み手段、１０’  光走査装置、１１  第１の光学系（コリメートレンズ）、２０  光学ハウジング、３０−Ｙ  光源（レーザダイオード）、４０−Ｙ  第１の光学系（シリンドリカルレンズ）、４１ａ  穴、４１ｂ  穴、４１ｃ  穴、４１ｄ  穴、１００  ＬＤホルダ（レーザダイオードホルダ）、１００’  ＬＤホルダ（レーザダイオードホルダ）、１０１  カバー部材、１０１’  カバー部材
【図１】
2006126669.tif 000003
【図２】
2006126669.tif 000004
【図３】
2006126669.tif 000005
【図４】
2006126669.tif 000006
【図５】
2006126669.tif 000007
【図６】
2006126669.tif 000008
【図７】
2006126669.tif 000009
【図８】
2006126669.tif 000010
【図９】
2006126669.tif 000011